(57)【特許請求の範囲】
【請求項１】
電動送風機を内包する本体と、前記電動送風機によって吸引される塵埃を検知する塵埃センサと、使用者が前記電動送風機の基準回転数を選択する回転数選択手段と、前記塵埃センサによって第１の所定時間あたりに検出された塵埃数に応じて前記電動送風機の回転数を制御する制御手段とを有する電気掃除機において、前記塵埃センサによって検知可能な塵埃の最小径を約１０μｍ〜１００μｍ程度となるように構成すると共に、前記塵埃センサが検知する塵埃数が極少数になるまでの間に前記電動送風機の回転数を前記基準回転数よりも高い状態に維持する運転モードＡと、前記塵埃センサが検知する塵埃数がある程度少なくなれば、前記電動送風機の回転数を前記基準回転数に戻す運転モードＢと、使用者が前記運転モードＡと運転モードＢとの切り替えを行うためのモード切り替え手段と、前記塵埃センサが検知した塵埃の数又は量を段階的に表示するレベルメータからなる表示手段を設け、前記表示手段は、運転モードＢで運転しているときは、実際に検知した塵埃数よりも少なめに表示することを特徴とする電気掃除機。
【請求項２】
塵埃数が極少数であると判断する塵埃数を、新品のじゅうたんを掃除した時に塵埃センサによって検知される塵埃数以下にあらかじめ設定したことを特徴とする請求項１に記載の電気掃除機。
【請求項３】
塵埃数がある程度少なくなったと判断する塵埃数を、じゅうたんを掃除した時に塵埃センサによって検知される塵埃数以上にあらかじめ設定したことを特徴とする請求項１又は２に記載の電気掃除機。
【請求項４】
表示手段を動作させるための塵埃の数の最大値を切り換えるための表示切替手段を設けた請求項１〜３の何れか１項に記載の電気掃除機。
【請求項５】
極少数であると判断する塵埃数又は／及びある程度少ないと判断する塵埃数を、使用者が任意に設定できるようにした請求項１〜４のいずれか１項に記載の電気掃除機。
【発明の詳細な説明】
【技術分野】
【０００１】
本発明は、電気掃除機に関するもので、特に、吸引される塵埃の量に応じて電動送風機の回転数を切り換える電気掃除機に関するものである。
【背景技術】
【０００２】
従来のこの種の電気掃除機においては、単位時間内に検知される塵埃数が所定値以上である状態が所定時間継続した場合、たとえ単位時間内に検知される塵埃数が変化しなくても、電動送風機の回転数を下げる制御（例えば、特許文献１参照）や、使用者が、掃除面に応じて運転モード（例えば、じゅうたん掃除モードや、木床掃除モード等）が切り換えられる選択ボタンを設け、じゅうたん等、細塵が取れにくい床面の運転モードが選択された場合には、塵埃検知の感度を下げる制御（例えば、特許文献２参照）を行っていた。
【０００３】
これらは全て、細塵の取れにくい床面を掃除する場合、いつまでも塵埃が検出されるため、電動送風機の回転数が高い状態で長時間維持されて、使用者に、集塵性能が悪いという誤解を与えないようにするためと、ある程度きれいになったら、その旨を、電動送風機の音や表示の変化によって、間接的に知らせることで、使用者が掃除の達成感・満足感をストレスなく（手早く）得られるようにするという制御であった。
【特許文献１】特開平４−１８０７２３号公報
【特許文献２】特開平２−１２６８２２号公報
【発明の開示】
【発明が解決しようとする課題】
【０００４】
従来のように、手早く掃除をすませることで掃除の達成感・満足感を得られるお客様が多いということは事実であるが、その一方で、数年前までは大多数の人間がよしとしていた微小の塵埃でさえも気にするお客様が増えてきており、念入りに掃除をしたい、又、念入りに掃除をすることで達成感・満足感が得られるというお客様が増えてきているというのも事実である。電気掃除機の集塵性能を上げれば、念入りに且つ簡単に掃除を済ませることができるように思えるが、実際には集塵性能を上げる、すなわち吸引力を高めることによって、吸い込み具の操作性が重くなるという課題が発生する。
【０００５】
集塵性能を変えずに、上記の２つの要望に応える手段としては、塵埃を検知する塵埃センサの感度を切り換え可能にするという方法が考えられる。しかし、感度切換で例えば「低感度」が選択された場合、微小のごみが検知できなくなるし、逆に「高感度」が選択された場合、空気中に通常滞留している数十μｍの埃にまでも塵埃センサが反応してしまい、いつまでたっても掃除が終わらないということになってしまうという課題があった。
【０００６】
本発明は、上記従来の課題を解決するもので、簡単に掃除をすませたいという要望と、微小の塵埃も残さず念入りに掃除をしたいという２つの要望に沿う使用性の高い電気掃除機を提供することを目的とするものである。
【課題を解決するための手段】
【０００７】
前記従来の課題を解決するために、本発明の電気掃除機は、電動送風機を内包する本体と、前記電動送風機によって吸引される塵埃を検知する塵埃センサと、使用者が前記電動送風機の基準回転数を選択する回転数選択手段と、前記塵埃センサによって第１の所定時間あたりに検出された塵埃数に応じて前記電動送風機の回転数を制御する制御手段とを有
する電気掃除機において、前記塵埃センサによって検知可能な塵埃の最小径を約１０μｍ〜１００μｍ程度となるように構成すると共に、前記塵埃センサが検知する塵埃数が極少数になるまでの間に前記電動送風機の回転数を前記基準回転数よりも高い状態に維持する運転モードＡと、前記塵埃センサが検知する塵埃数がある程度少なくなれば、前記電動送風機の回転数を前記基準回転数に戻す運転モードＢと、使用者が前記運転モードＡと運転モードＢとの切り替えを行うためのモード切り替え手段と、前記塵埃センサが検知した塵埃の数又は量を段階的に表示するレベルメータからなる表示手段を設け、前記表示手段は、運転モードＢで運転しているときは、実際に検知した塵埃数よりも少なめに表示するもので、塵埃センサが検知可能な塵埃の最小径を１０μｍ〜１００μｍとすることで、家庭で最も小さい埃であると考えられる家ダニの死骸やふん、新品のじゅうたんのむだ毛等が検知でき、且つ、検知の必要がない（検知したくない）塵埃即ち、空気中に滞留し、電気掃除機のフィルターでも捕捉できない極小の埃を検知しないようにすると共に、上記検知すべき塵埃が少しでも残っている限り、「床面がきれいになっていない」と判断する運転モードＡと、ある程度きれいになったら基準回転数に戻す運転モードＢとを選択可能にすることで、幅広いニーズに対応できるものである。また、塵埃センサが検知した塵埃の数又は量を段階的に表示するレベルメータからなる表示手段を設け、表示手段は、運転モードＢで運転しているときは、実際に検知した塵埃数よりも少なめに表示するようにしたので、運転モードＡで、塵埃センサが検知した塵埃数を定量的に表示することで、ある程度塵埃数が減ってきたら、使用者の判断で掃除区域を変えることができるので、効率的且つ満足度の高い掃除が行えるものである。さらに、運転モードＢ時に、実際に検知した塵埃数よりも少なめに表示することにより、基準回転数で運転される電動送風機の音と表示手段で表示される塵埃の量とが整合し、使用実感が向上する。
【発明の効果】
【０００８】
本発明の電気掃除機は、簡単に掃除をすませたいという要望と、微小の塵埃も残さず念入りに掃除をしたいという２つの要望に沿う使用性の高いものである。
【発明を実施するための最良の形態】
【０００９】
第１の発明は、電動送風機を内包する本体と、前記電動送風機によって吸引される塵埃を検知する塵埃センサと、使用者が前記電動送風機の基準回転数を選択する回転数選択手段と、前記塵埃センサによって第１の所定時間あたりに検出された塵埃数に応じて前記電動送風機の回転数を制御する制御手段とを有する電気掃除機において、前記塵埃センサによって検知可能な塵埃の最小径を約１０μｍ〜１００μｍ程度となるように構成すると共に、前記塵埃センサが検知する塵埃数が極少数になるまでの間に前記電動送風機の回転数を前記基準回転数よりも高い状態に維持する運転モードＡと、前記塵埃センサが検知する塵埃数がある程度少なくなれば、前記電動送風機の回転数を前記基準回転数に戻す運転モードＢと、使用者が前記運転モードＡと運転モードＢとの切り替えを行うためのモード切り替え手段と、前記塵埃センサが検知した塵埃の数又は量を段階的に表示するレベルメータからなる表示手段を設け、前記表示手段は、運転モードＢで運転しているときは、実際に検知した塵埃数よりも少なめに表示するもので、塵埃センサが検知可能な塵埃の最小径を１０μｍ〜１００μｍとすることで、家庭で最も小さい埃であると考えられる家ダニの死骸やふん、新品のじゅうたんのむだ毛等が検知でき、且つ、検知の必要がない（検知したくない）塵埃即ち、空気中に滞留し、電気掃除機のフィルターでも捕捉できない極小の埃、を検知しないようにすると共に、上記検知すべき塵埃が少しでも残っている限り、「床面がきれいになっていない」と判断する運転モードＡと、ある程度きれいになったら基準回転数に戻す運転モードＢとを選択可能にすることで、幅広いニーズに対応できるものである。また、塵埃センサが検知した塵埃の数又は量を段階的に表示するレベルメータからなる表示手段を設け、表示手段は、運転モードＢで運転しているときは、実際に検知した塵埃数よりも少なめに表示するようにしたので、運転モードＡで、塵埃センサが検知した塵埃数を定量的に表示することで、ある程度塵埃数が減ってきたら、使用者の判断で掃
除区域を変えることができるので、効率的且つ満足度の高い掃除が行えるものである。さらに、運転モードＢ時に、実際に検知した塵埃数よりも少なめに表示することにより、基準回転数で運転される電動送風機の音と表示手段で表示される塵埃の量とが整合し、使用実感が向上する。
【００１０】
第２の発明は、特に、第１の発明の塵埃数が極少数であると判断する塵埃数を、新品のじゅうたんを掃除した時に塵埃センサによって検知される塵埃数以下にあらかじめ設定したもので、システムが変われば、塵埃の判定閾値を変える必要があるが、判定閾値を決定するひとつの目安として、むだ毛の多い新品のじゅうたんを用いることにより、判定閾値設定を容易に行うことができる。
【００１１】
第３の発明は、特に、第１又は第２の発明の塵埃数がある程度少なくなったと判断する塵埃数を、じゅうたんを掃除した時に塵埃センサによって検知される塵埃数以上にあらかじめ設定したもので、判定閾値設定を容易に行うことができる。
【００１２】
第４の発明は、特に、第１〜第３の発明の表示手段を動作させるための塵埃の数の最大値を切り換えるための表示切替手段を設けたもので、表示手段での塵埃数表示の振り切れの防止と、塵埃数が少ない時の塵埃数の変化をわかりやすくすることができる。
【００１３】
第５の発明は、特に、第１〜４のいずれか一つの発明の極少数であると判断する塵埃数又は／及びある程度少ないと判断する塵埃数を、使用者が任意に設定できるようにしたもので、使用者は自分の好みに合った設定が行えるため、使用性の高い電気掃除機を提供することができる。
【００１４】
以下、本発明の実施の形態について、図面を参照しながら説明する。尚、この実施の形態によって本発明が限定されるものではない。
【００１５】
（実施の形態１）
図１は、本発明の実施の形態１における電気掃除機の全体構成を示す斜視図、図２は、同電気掃除機の回路ブロック図、図３は、同電気掃除機の手元操作表示部の詳細図、図４は、同電気掃除機の塵埃センサの構成を示す断面図である。
【００１６】
図１〜４において、１は掃除機本体であり、吸引力を発生させ、塵埃を集塵室１ａに集塵するための電動送風機２を内蔵している。３は、集塵室１ａに連通するように掃除機本体１に接続されるホースであり、その一端に、手元操作表示部４が設けられている。前記手元操作表示部４は、使用者が電気掃除機の運転の切替・選択を行うための操作手段２７と、各種表示を行うための表示手段２８によって構成されている。
【００１７】
図３は、前記手元操作表示部４の詳細図である。前記操作手段２７は、「切」ボタン１１、「強／弱」ボタン１２、「自動」ボタン１３、「念入り」ボタン１４及び、レンジ調整つまみ１９から構成されており、前記表示手段２８は、モード表示ランプ１５及び、ごみレベルメータ１６から構成されている。尚、前記「切」ボタン１１、「強／弱」ボタン１２及び「自動」ボタン１３は、使用者が電気掃除機の運転ポジション即ち、電動送風機２の回転数を選択するための回転数選択手段となるもので、「念入り」ボタン１４は、掃除を念入りに行う運転モードＡ（以下「念入り」モードという）と、掃除を簡単に行う運転モードＢ（以下「簡易掃除」モードという）のいずれかを選択するモード切り替え手段となるものである。１９は、表示切替手段となるレンジ調整つまみで、前記ごみレベルメータ１６に表示される塵埃数の最大値を切り替えるために用いられるものである（詳細は後述）。５は、手元操作表示部４に接続された延長管６の上流側端部に接続され、床面（図示せず）に接して被掃除面の塵埃等を吸引するための吸い込み具である。
【００１８】
上記構成により、「強／弱」ボタン１２及び「自動」ボタン１３のどちらかを操作して前記電動送風機２を駆動させることで、吸い込み具５で吸引された被掃除面の塵埃は、延長管６、ホース３を通って掃除機本体１へと運搬され、掃除機本体１内に内蔵された集塵室１ａで捕集されると共に、吸い込み風は前記掃除機本体１より外部に排出される。７は、吸引した塵埃の量を検知する塵埃センサで、ホース３の掃除機本体１との接続部付近に設けられている。
【００１９】
塵埃センサ７は、図４に示すように、発光手段である赤外発光ダイオード１７と、赤外発光ダイオード１７に対向して設けられた受光手段であるフォトトランジスタ１８から構成され、被掃除面から吸引した塵埃が、赤外発光ダイオード１７とフォトトランジスタ１８の間を通過する際に、赤外発光ダイオード１７から発せられる赤外光を遮ることで、フォトトランジスタ１８の出力が変化することを利用して、塵埃を検知するようにしたものである。
【００２０】
次に、上記電気掃除機の回路ブロック図を、図２を用いて説明する。
【００２１】
同回路ブロックは、掃除機本体ブロック２１と、ホースブロック２２に分けられ、各ブロック２１、２２はコネクタ（図示せず）によって着脱自在に接続されている。
【００２２】
掃除機本体ブロック２１は、電気掃除機に電力を供給する商用電源２３と、電動送風機２を駆動するための駆動手段２４と、各入出力制御を行う信号制御手段２５と、各回路素子に直流電源を供給する直流電源回路２６から構成されている。
【００２３】
ホースブロック２２は、手元操作表示部４の回路として、操作手段２７と、表示手段２８及び、塵埃検知部の回路として、赤外発光ダイオード１７と、フォトトランジスタ１８と、前記フォトトランジスタ１８の出力を増幅するための増幅回路２９及び、パルス変換手段３０とで構成されている。
【００２４】
尚、増幅回路２９とパルス変換手段３０は、赤外発光ダイオード１７とフォトトランジスタ１８の間を、径がΦ１０〜１００μｍ以上、好ましくは、Φ７０μｍ以上の塵埃が通過したときにパルスが出力されるように感度が設定されている。又、駆動手段２４と、操作手段２７と、表示手段２８及び、パルス変換手段３０は、信号制御手段２５と電気的に接続されている。
【００２５】
以上のように構成された電気掃除機について、以下にその動作、作用を説明する。
【００２６】
商用電源２３が投入されたとき即ち、使用者が電気掃除機の電源コード（図示せず）の電源プラグ（図示せず）をコンセント（図示せず）に差し込んだ段階では、電動送風機２は停止の状態であり、ごみレベルメータ１６は消灯している。又、運転モードは「念入り」モード即ち、念入りに掃除を行うために、「塵埃センサ７で検出される塵埃数が極少数（例えば、１００ｍｓ間に３個以下）となるまでの間、電動送風機２の回転数を基準回転数よりも高い状態に維持する」運転モードとなっている。「念入り」モードと「簡易掃除」モード（塵埃センサ７で検出される塵埃数がある程度少なく（例えば、１００ｍｓ間に１０個程度）なれば、電動送風機２の回転数を基準回転数に戻すことで、簡単に掃除を済ませる運転モード）との切り換えは、「念入り」ボタン１４で行う。電気掃除機の運転状態に関わらず、前記「念入り」ボタン１４を押す毎に、運転モードが「念入り」←→「簡易掃除」と交互に切り替わる。尚、「念入り」モードの時には、モード表示ランプ１５を点灯させて、「念入り」モードであることを使用者に報知している。
【００２７】
「強／弱」ボタン１２及び「自動」ボタン１３は、使用者が電気掃除機の運転ポジション即ち、電動送風機２の回転数を選択するために用いられるもので、「強／弱」ボタン１２が押される毎に、運転ポジションが「強運転」←→「弱運転」と交互に切り替わり、「自動」ボタン１３が押されると、運転ポジションは「自動運転」となる。電動送風機２の回転数は、信号制御手段２５が駆動手段２４を介して行う位相制御によって制御しており、その制御位相角によって、電動送風機２の回転数を変化させている。下表に、各運転ポジションの基準回転数と、その時の制御位相角の例を示す。尚、下表の回転数及び位相角は、床面（被掃除面）がきれいである時即ち、パルス変換手段３０からパルス出力がない時の数値であり、以降これらを基準回転数及び基準位相角と呼ぶ。
【００２８】
【表１】
0004735322.tif 000002
【００２９】
「自動運転」又は「弱運転」の時は、パルス変換手段３０から第１の所定時間（本実施の形態では、１００ｍｓ）の間に出力されるパルス数と、その時の運転モード（「念入り」、「簡易掃除」）及び、後述する「床面指数」に応じて、表１の基準位相角にマイナス方向（回転数が高くなる方向）の補正を加えている。（なお、「強運転」の時は、基準位相角が０°であるため、補正が加えられない）。
【００３０】
以降、位相角の補正方法の詳細について説明する。
【００３１】
表２は、「念入りモード」時の塵埃判断テーブルで、「念入りモード」時の、第１の所定時間（本実施の形態では、１００ｍｓ）の間に出力されるパルス数に応じた、電動送風機２の運転時の位相角と、床面のきれいさの判断を示すテーブルである。
【００３２】
【表２】
0004735322.tif 000003
【００３３】
ただし、ごみレベルの高い状態から低い状態への切換は、１００ｍｓの間に出力されたごみパルスによって即時切替ではなく、所定の遅延時間（本実施の形態では、１秒）を持たせている。即ち、１００ｍｓ間のパルス数が３個以下である状態が１秒以上継続しない限り、電動送風機２の回転数は、基準回転数に戻らずに高い状態で維持することになる。尚、本実施例では、「床面がきれいになった」と判断する閾値を「１００ｍｓ間に３個以下」としているが、これは、たとえ床面がきれいになっても、吸い込み具５等に付着している塵埃分が吸い込まれる事を考慮した設定値である。尚、この設定値は、「念入り」モ
ードで新品のじゅうたんを掃除した時に、むだ毛を吸引し尽すまでの間は「床面がきれいになった」と判断しないレベル即ち、新品のじゅうたんを掃除した時に、塵埃センサ７によって検知される塵埃数以下となるような値であれば、いくつに（掃除実感に応じて）設定してもよい。
【００３４】
「簡易掃除」モード時は、表２の様な塵埃判断テーブルの他に、表３に示す床面指数判断テーブルを用いて、第１の所定時間（１００ｍｓ）に所定パルス数（本実施の形態では、８パルス）以上が第２の所定時間（本実施の形態では、５秒）の間に発生した回数に応じて床面指数を算出しており、算出した床面指数に応じて、表４に示すようにごみレベルの判断値を変えている。表４は、「簡易掃除モード」時の判断値テーブルである。
【００３５】
【表３】
0004735322.tif 000004
【００３６】
【表４】
0004735322.tif 000005
【００３７】
「念入り」モードでは、床面が完全にきれいになるまでの間、電動送風機２の回転数を基準回転数よりも高い状態に維持しているのに対して、「簡易掃除」モードでは、ある程度床面がきれいになったら、電動送風機２の回転数を基準回転数まで戻していることがわかる。更に、「簡易掃除」モードでは床面指数判断も行っているため、例えば新品のじゅうたん等、むだ毛の多いじゅうたんを掃除する場合に、塵埃センサ７が塵埃を長時間検知し続けたとしても、いつまでたってもごみレベルが０に戻らず、電動送風機２の回転数が高い状態で維持されるということも防止している。
【００３８】
上記の制御によって、「簡易掃除」モードは、「念入り」モードに比べて、スピーディーに掃除を行うことができるようになっている。
【００３９】
次にごみレベルメータ１６の表示方法について説明する。
【００４０】
ごみレベルメータ１６は、４つのランプ（図示せず）によって構成され、５段階の表示が可能となっている。ごみレベルメータ１６には、パルス変換手段３０から、第１の所定時間（本実施の形態では、１００ｍｓ）の間に出力されるパルス数即ち、塵埃数に応じて表示を変化させている。但し、ごみがあるにも関わらず、電動送風機２の回転数が基準回転数にまで下がってしまうケースがあるので（特に、運転モードが「簡易掃除」モードの時）、パルス数をそのまま表示すると、掃除実感に合わなくなるため、パルス数に補正を加えたものを表示するようにして、ごみレベルメータ１６と電動送風機２の動作とを整合させるようにしている。補正量は、各運転モード（「念入り」「簡易掃除」）において、電動送風機２の回転数と、ごみレベルメータ１６の表示レベルとの関係がほぼ同一になるように、「念入り」モードと「簡易掃除」モードでそれぞれ個別の補正量設定値が、あらかじめ設定されている。表５に、各運転モード時のごみレベルメータ表示と、パルス数、床面指数との関係を示す。
【００４１】
【表５】
0004735322.tif 000006
【００４２】
「簡易掃除」モードでのごみレベルメータ段階は、「念入り」モードよりも多い塵埃数に設定しており且つ、床面指数が上がるほど、ごみレベルメータ段階の塵埃数を増やしているため、「念入り」モード及び「簡易掃除」モードの床面０〜５までのどの状態においても、電動送風機２の回転数と、ごみレベルメータ表示の関係はほぼ一定となっており、ごみレベルメータ１６と電動送風機２の動作との整合性が保たれていることがわかる。
【００４３】
尚、表５の判断値テーブルは、レンジ調整つまみ１９が標準レベル（中央）に選択されている場合の判断値であるが、更に、レンジ調整つまみ１９を操作することで、前記ごみレベルメータ１６に表示する最大塵埃数を変更可能にしている。具体的には、レンジ調整つまみ１９を低い側（左方向）に動かせば、動かした量に応じてごみレベルメータ１６の５段階の判断値を小さくすると共に、それに応じて０〜４段階の判断値を比例的に小さくする。例えば、「念入りモード」で、レンジ調整つまみ１９を低い側に５段階動かした場合、各判断値は表６のようになり、ごみレベルメータ段階の塵埃数が少なくなるため、塵埃数変化がわかりやすくなるものである。
【００４４】
【表６】
0004735322.tif 000007
【００４５】
レンジ調整つまみ１９を高い側（右方向）に動かした場合は、この逆で、ごみレベルメータ段階の塵埃数が多くなるため、検知する塵埃数が多い場合にも、ごみレベルメータ１６の振り切れがなくなり、塵埃数の変化が表示できるものである。
【００４６】
尚、電動送風機２が駆動している時に、「切」ボタン１１が押された場合、前記電動送風機２が停止し、ごみレベルメータ１６も消灯する。
【００４７】
以上のように本実施の形態によれば、塵埃センサ７が検知可能な塵埃の最小径を１０μｍ〜１００μｍ、好ましくは、７０μｍとすることで、家庭で最も小さい埃であると考えられる家ダニの死骸や新品のじゅうたんのむだ毛等が検知でき、且つ、検知する必要のない（あるいは検知したくない）空気中に滞留する極小の埃を検知しないようにすると共に、上記検知すべき塵埃が少しでも残っている限り、「床面がきれいになっていない」と判断する「念入り」モードと、「ある程度床面がきれいになった」段階でよしとする「簡易掃除」モードを選択可能にすることができる。
【００４８】
尚、本実施の形態においては、モード選択を「念入り」と「簡易掃除」の２モード選択としたが、塵埃パルス判断値が少しずつ異なる多数の運転モードが選択できるようにしたり、運転モード選択の代りに、スライドスイッチ等の無段階の塵埃パルス判断値選択手段（図示せず）を設ければ、様々な使用者の要求に合った掃除ができることになり、使用性の高い電気掃除機を提供できることは明らかである。
【００４９】
又、上記実施の形態では、塵埃表示をごみレベルメータ１６で行ったが、ＬＥＤ（図示せず）を一灯設け、塵埃数（パルス数）によって、そのＬＥＤの点滅周期を表７のように切り替えるようにすれば、ごみレベルメータ１６ほど定量的な表示は行えないが、低コストでほぼ同様の効果を得ることができる。
【００５０】
【表７】
0004735322.tif 000008
【産業上の利用可能性】
【００５１】
以上のように、本願発明に係る電気掃除機は、家庭用だけでなく、例えば微小の塵埃までも残さず掃除する必要がある衛生関係の業務用等、今後のさまざまな形態の電気掃除機に応用展開可能である。
【図面の簡単な説明】
【００５２】
【図１】本発明の実施の形態１における電気掃除機の全体構成を示す斜視図
【図２】同電気掃除機の回路ブロック図
【図３】同電気掃除機の手元操作表示部の詳細図
【図４】同電気掃除機の塵埃センサの構成を示す断面図
【符号の説明】
【００５３】
１    掃除機本体
１ａ  集塵室
２    電動送風機
４    手元操作表示部
７    塵埃センサ
１１  「切」ボタン（回転数選択手段）
１２  「強／弱」ボタン（回転数選択手段）
１３  「自動」ボタン（回転数選択手段）
１４  「念入り」ボタン（モード切り替え手段）
１５  モード表示ランプ
１６  ごみレベルメータ
１７  赤外発光ダイオード（発光手段）
１８  フォトトランジスタ（受光手段）
１９  レンジ調整つまみ（表示切替手段）
２１  掃除機本体ブロック
２２  ホースブロック
２５  信号制御手段（制御手段）
２６  直流電源回路
２７  操作手段
２８  表示手段
【図１】
0004735322.tif 000009
【図２】
0004735322.tif 000010
【図３】
0004735322.tif 000011
【図４】
0004735322.tif 000012